(57)【要約】【課題】ＡＶＩファイルを記録した光ディスクの再生を速やかに開始することができる光ディスク再生装置を提供する。【解決手段】光ディスクがセットされたとき、この光ディスクのインデックス情報の読み取りを自動的に実行する。インデックス情報の読み取りを完了するまえに再生スタートの指示があった場合、インデックス情報の読み取りを中断してその中断位置を記億したのち、光ディスクの再生を開始する。その後、サーチ指示があったとき、中断位置からインデックス情報の読み取りを再開し、読み取りが完了したのち、該サーチ指示に対応した検索処理を実行する。【選択図】  図３
2007102868.tif 000002
【特許請求の範囲】
【請求項１】
映像および／または音声のシーケンシャルなデータ列であるコンテンツストリームデータと、このコンテンツストリームデータの時刻情報であるインデックス情報と、を記録した光ディスクを再生する光ディスク再生装置において、
利用者による前記光ディスクの再生開始の指示であるスタート指示および前記コンテンツストリームデータの途中箇所の検索の指示であるサーチ指示を受け付ける操作手段と、
セットされた光ディスクから前記インデックス情報を読み取って内部メモリに記憶するインデックス読取手段と、
光ディスクがセットされたとき、前記インデックス読取手段にインデックス情報の読み取りを指示するとともに、前記スタート指示の有無を監視し、インデックス情報の読み取りが完了するまえに、前記スタート指示があった場合は、前記インデックス情報の読み取りを中断してその中断位置を記憶したのち、光ディスクの再生を開始し、
前記サーチ指示があったとき、前記インデックス情報の読み取りが完了しているか否かを判断し、読み取りが完了しているときは即座に、読み取りが完了していないときは前記インデックス読取手段に読み取りを完了させたのち、該サーチ指示に対応した検索処理を実行する制御手段と、
を備えた光ディスク再生装置。
【請求項２】
映像および／または音声のシーケンシャルなデータ列であるコンテンツストリームデータと、このコンテンツストリームデータの時刻情報であるインデックス情報と、を記録した光ディスクを再生する光ディスク再生装置において、
利用者による前記光ディスクの再生開始の指示であるスタート指示および前記コンテンツストリームデータの途中箇所の検索の指示であるサーチ指示を受け付ける操作手段と、
セットされた光ディスクから前記インデックス情報を読み取って内部メモリに記憶するインデックス読取手段と、
光ディスクがセットされたとき、前記インデックス読取手段にインデックス情報の読み取りを指示するとともに、前記スタート指示の有無を監視し、インデックス情報の読み取りが完了するまえに、前記スタート指示があった場合は、前記インデックス情報の読み取りを中断して、光ディスクの再生を開始する制御手段と、
を備えた光ディスク再生装置。
【請求項３】
前記制御手段は、インデックス情報の読み取りを中断した場合に、その中断位置を記憶し、その後、前記インデックス読取手段に、この中断位置から前記インデックス情報の読み取りを再開させる請求項２に記載の光ディスク再生装置。
【請求項４】
前記制御手段は、前記サーチ指示があったとき、前記インデックス情報の読み取りが完了しているか否かを判断し、読み取りが完了しているときは即座に、読み取りが完了していないときは前記インデックス説教手段に読み取りを完了させたのち、該サーチ指示に対応した検索処理を実行する請求項２または請求項３に記載の光ディスク再生装置。
【発明の詳細な説明】
【技術分野】
【０００１】
この発明は、光ディスクに記録されたコンテンツストリームデータを再生する光ディスク再生装置に開する。
【背景技術】
【０００２】
ＤＶＤやＣＤ等の光ディスクは、元々映像コンテンツや音楽コンテンツを専用のフオーマットで記録するメディアである。すなわち、ＤＶＤおよびＣＤには、ＤＶＤ＿ｖｉｄｅｏ、ＤＶＤ＿ａｕｄｉｏ、ＣＤ＿ｄ i g i t a 1＿ａｕｄｉｏ、ＳＡＣＤ(スーパー・オーディオＣＤ)など各種の専用フオーマットが定められている。
【０００３】
このようなフオーマットのディスクを再生する場合、光ディスク再生装置は、セットされたディスクからインデックス情報を読み取ることにより、コンテンツストリームデータの時間情報やアドレス情報を取得したのち、再生を開始可能にし、また、サーチによる途中再生も可能にしていた(たとえば、特許文献１)。
【特許文献１】特開２００５−１６６１８１号公報
【発明の開示】
【発明が解決しようとする課題】
【０００４】
しかし、インデックス情報の読み取りは数秒〜十数秒の時間を要するため、従来の光ディスク再生装置は、ディスクがセットされたのち、インデックス情報の読み取りが完了するまで再生をスタートさせることができず、早く再生をスタートしたいユーザに不評であった。
【０００５】
一方、近年の光ディスク再生装置は、上記専用フオーマットのディスクのみならず、ＤＶＤ−ＲＯＭ、ＣＤ−ＲＯＭに記録された一般のビデオファイル（ＡＶＩ，ＷＭＶ等）やオーディオファイル（ＭＰ３，ＷＭＡ，ＷＡＶ等）を再生する機能を備えているものが多い。これらのファイル形式のうち、ＡＶＩ形式は、デジタルビデオカメラの記録フォーマット（ＤＶ）等に採用されるなど、広く用いられている。
【０００６】
このＡＶＩファイルは、データ本体中に時刻情報を持っていないため、インデックスを読み出さなければ、シーケンシャルに読み出すことはできるが、途中再生のためのサーチができないという問題点があった。しかし、インデックスの読み出しには、上記ＤＶＤ専用フォーマットと同様に時間が掛かるため、ユーザが、光ディスク再生装置にディスクをセットしてもすぐに再生をスタートできないため、不評であった。
【０００７】
この発明は、上記現状に鑑み、ＡＶＩファイルを記録した光ディスクの再生を速やかに開始することができる光ディスク再生装置を提供することを目的とする。
【課題を解決するための手段】
【０００８】
請求項１の発明は、映像および／または音声のシーケンシャルなデータ列であるコンテンツストリームデータと、このコンテンツストリームデータの時刻情報であるインデックス情報と、を記録した光ディスクを再生する光ディスク再生装置において、利用者による前記光ディスクの再生開始の指示であるスタート指示および前記コンテンツストリームデータの途中箇所の検索の指示であるサーチ指示を受け付ける操作手段と、セットされた光ディスクから前記インデックス情報を読み取って内部メモリに記憶するインデックス読取手段と、光ディスクがセットされたとき、前記インデックス読取手段にインデックス情報の読み取りを指示するとともに、前記スタート指示の有無を監視し、インデックス情報の読み取りが完了するまえに、前記スタート指示があった場合は、前記インデックス情報の読み取りを中断してその中断位置を記憶したのち、光ディスクの再生を開始し、前記サーチ指示があったとき、前記インデックス情報の読み取りが完了しているか否かを判断し、読み取りが完了しているときは即座に、読み取りが完了していないときは前記インデックス説教手段に読み取りを完了させたのち、該サーチ指示に対応した検索処理を実行する制御手段と、を備えたことを特徴とする。
【０００９】
この発明の光ディスク再生装置では、光ディスクがセットされたとき、インデックス情報の読み取りを自動的に実行するが、その途中にユーザがスタート指示をした場合には、インデックス情報の読み取りを中断して光ディスクの再生を開始する。これにより、ユーザはインデックス情報の読み取りを待たずに、即座に再生をスタートさせることができる。
【００１０】
ここで、インデックス情報を読み取らないで再生をスタートした場合、コンテンツストリームデータの先頭からシーケンシャルに再生することしかできず、ジャンプなどのサーチ機能を実行することができないが、光ディスクを再生する場合において、ランダムにサーチしながら再生する場合は少なく、先頭からシーケンシャルに再生してコンテンツを楽しむ場合が殆どであるため、インデックス情報を読み取らなくてもほぼ支障なく再生を行うことができる。
【００１１】
また、この発明の光ディスクでは、ユーザによってサーチ指示がされたとき、インデックス情報の読み取りを完了させたのちサーチ動作を実行するため、インデックス情報の読み取りが途中で中断していた場合でも、必要になった時点で読み取りを再開してサーチ機能を実行できるようにすることができる。
【００１２】
請求項２の発明は、映像および／または音声のシーケンシャルなデータ列であるコンテンツストリームデータと、このコンテンツストリームデータの時刻情報であるインデックス情報と、を記録した光ディスクを再生する光ディスク再生装置において、利用者による前記光ディスクの再生開始の指示であるスタート指示および前記コンテンツストリームデータの途中箇所の検索の指示であるサーチ指示を受け付ける操作手段と、セットされた光ディスクから前記インデックス情報を読み取って内部メモリに記憶するインデックス読取手段と、光ディスクがセットされたとき、前記インデックス読取手段にインデックス情報の読み取りを指示するとともに、前記スタート指示の有無を監視し、インデックス情報の読み取りが完了するまえに、前記スタート指示があった場合は、前記インデックス情報の読み取りを中断して、光ディスクの再生を開始する制御手段と、を備えたことを特徴としている。
【００１３】
この発明の光ディスク再生装置では、光ディスクがセットされたとき、インデックス情報の読み取りを自動的に実行するが、その途中にユーザがスタート指示をした場合には、インデックス情報の読み取りを中断して光ディスクの再生を開始する。これにより、ユーザはインデックス情報の読み取りを待たずに、即座に再生をスタートさせることができる。
【００１４】
請求項３の発明は、請求項２の発明において、制御手段は、インデックス情報の読み取りを中断した場合に、その中断位置を記憶し、その後、前記インデックス読取手段に、この中断位置から前記インデックス情報の読み取りを再開させることを特徴としている。
【００１５】
この発明では、インデックス情報の読み取りを中断した場合でも、その中断位置を記憶しておくことにより、その後インデックス情報の読み取りを再開した場合に、また最初から読み取りをやり直すのではなく、中断位置から継続的に再開することが可能になる。
【００１６】
請求項４の発明は、請求項２，３の発明において、制御手段は、前記サーチ指示があったとき、前記インデックス情報の読み取りが完了しているか否かを判断し、読み取りが完了しているときは即座に、読み取りが完了していないときは前記インデックス読取手段に読み取りを完了させたのち、該サーチ指示に対応した検索処理を実行することを特徴とする。
【００１７】
この発明では、ユーザによってサーチ指示がされたとき、インデックス情報の読み取りを完了させたのちサーチ動作を実行するため、インデックス情報の読み取りが途中で中断していた場合でも、必要になった時点で読み取りを再開してサーチ機能を実行できるようにすることができる。
【発明の効果】
【００１８】
この発明によれば、光ディスクがセットされたとき、インデックス情報の読み取りを自動的に行うが、ユーザから再生開始の指示（スタート指示）の人力が行われると、インデックス情報の読み取りが完了していなくても、この読み取りを中断して光ディスクの再生をスタートするため、ユーザを特たせることがない。
【００１９】
また、途中でサーチ指示が入力された場合には、インデックス情報の読み取りが完了していればそのままサーチ動作を実行するが、インデックス情報の読み取りが完了していない場合には、この時点で読み取りを完了させてからサーチ動作を実行するため、インデックス情報の読み取りを完了することなく再生をスタートさせた場合でもサーチが不可能になることがない。
【発明を実施するための最良の形態】
【００２０】
以下、図面を参照しつつ、この発明の実施の形態について説明する。
【００２１】
図１はこの発明の実施形態である光ディスク再生装置の構成を示すブロック図である。
【００２２】
この光ディスク再生装置は、光ディスク１を回転させるスピンドルモータ５と、光ディスク１に記録された情報を再生するためのレーザ光を出射するとともに光ディスク１からの反射光を受光する光ピックアップ２と、この光ピックアップ２を光ディスク↓の半径方向に移動させるためのスレッド機構３と、システムコントローラ２２の指示に応じてスピンドルモータ５およびスレッド機構３を駆動するとともに光ピックアップ２に内蔵された対物レンズを動かすことによりレーザ光の焦点位置を光ディスク１の記録面に対して垂直方向および水平方向に移動させる制御を行うサーボ制御部４とを備えている。
【００２３】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換したのちに光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデーダストリームの中から、本編映像等のビデオデータ、日本語テロップ等のサブピクチャデータ、および、オーディオデータ等を分離するストリーム分離部９とを備えている。
【００２４】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納するＲＡＭ１４とを備えている。ビデオデコーダ１５は、ＤＶＤ＿ｖｉｄｅｏフォーマットのＭＰＥＧ２映像ストリームデータをデコードする機能を有するのみでなく、各種のビデオ形式（ＡＶＩ，ＷＭＶ等）のデータをデコードする機能を備えている。
【００２５】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ圭１から出力されたデータをアナログのオーディオ信号に変換して例えばスピーカ１９に供給するＤ／Ａ変換器１６とを備えている。
【００２６】
また、この光ディスク再生装置は、システムコントローラ２２に対して、再生を指示するスタートボタン、再生停ILを指示するストップボタン、早送り，巻き戻し，インデックスジャンプなどのサーテを指示する各種のサーチボタンを有する操作部２１と、装置全体を制御する前記システムコントローラ２２とを備えている。なお、操作部２１は、リモートコントローラであっても良いし、装置本体の操作パネルに設けられた操作部であっても良い。
【００２７】
また、この光ディスク再生装置は、装置の各構成要素を制御したり、装置全体を制御したりするためのプログラムやデータが記憶されたフラッシュＲＯＭ２３を備えている。
【００２８】
システムコントローラ２２は、ワークＲＡＭを含むマイクロコンピュータで構成されており、ワークＲＡＭには、光ディスクから読み取ったインデックス情報を記憶するインデックステーブル、インデックス情報の読み取りが途中で中断したときにその中断位置を記憶する中断位置レジスタ、インデックス情報の読み取りが完了したときにセットされる読取完了フラグが設定される。
【００２９】
この光ディスク再生装置は、上記のように多機能のビデオデコーダ１５を搭載しており、ＤＶＤの専用フオーマットで映像を記録したＤＶＤ＿ｖｉｄｅｏディスクのみならず、ＤＶＤ−ＲＯＭを読み取り、そこに記録されたＡＶＩなどのビデオファイルを再生することもできる。ここで、ＡＶＩ(Audio Video Interleave)フオーマットは、１９９２年に開発されたものであるが、現在でもデジタルビデオなど多くのアプリケーションで使われている。
【００３０】
図２は、ＡＶＩフオーマットの概略構成を示す図である。ＡＶＩフオーマットのファイルは、ヘッダー情報、ムービー情報、インデックス情報の３つの領域で構成されている。ヘッダー情報は、圧縮方式やフレームレートなど再生に必要な情報からなっている。ムービー情報は、オーディオストリームデータおよびビデオストリームデータの本体であり、所定区間ずつ交互に格納されたビデオストリームデータおよびオーディオストリームデータからなる。なお、このムービー情報は、時刻情報を含んでいない。インデックス情報は、途中再生のためのサーチに必要な必要な時刻情報を含んでいる。したがって、ＡＶＩフオーマットのファイルを途中再生するためには、インデックス情報が必要となる。
【００３１】
図３は、この光ディスク再生装置の制御部であるシステムコントローラ２２の動作を示すフローチャートである。光ディスクがトレイにセットされ、システムコントローラ２２が、セットされたディスクがＤＶＤ−ＲＯＭであり、記録されているファイルがＡＶＩであることを認識したとき、この動作をスタートさせる。
【００３２】
まず、システムコントローラ２２は、記録されているＡＶＩファイルのインデックス情報を読み込む（ｓ１）。この読み込みが完了したことをｓ２で判断すると、処理をｓ４に進めて、読取完了フラクをセットすることにより、読み込んだインデックス情報が完全であることを記憶する。なお、こののちＡＶＩファイルの先頭から自動的に再生を開始してもよく、ユーザの再生指示があるまで待機してもよい。図示のフローテャートは自動的に再生を開始するような手順（ｓ４→ｓ６）を記載している。
【００３３】
インデックス情報の読み込みが完了する前にユーザから再生スタートの指示があった場合には、インデックス情報の読み取りを中断して、その中断位置を記憶し(s 5)、ＡＶＩファイルの先頭から再生を開始する(s 6)。
【００３４】
こののちＡＶＩファイルが終了するまで再生動作を継続するが、途中でユーザからサーチ操作があった場合（ｓ１０）には、読取完了フラグがセットされているか否かを判断する（ｓ１１）。読取完了フラクがセットされている場合には、処理をｓ１１からｓ１５に進め、ユーザの操作にしたがって、ストリームデータのタイムサーチを実行する。
【００３５】
一方、インデックス読取完了フラクがセットされていない場合には、読取中断位置レジスタから読取中断位置を読み出し（ｓ１２）、その位置からインデックス情報の読み取りを再開する（ｓ１３）。今回の読み取りはインデックス情報が終了するまで継続される。そして、こののち読取完了フラグをセットして、インデックス情報が完全であることを記憶したのち（ｓ１４）、ユーザが指示したタイムサーチを実行する（ｓ１５）。
【００３６】
こののち、ストリームの終端まで再生したとき（ｓ １６）、この処理を終了する。
【００３７】
なお、この実施形態では、ＡＶＩファイルを再生する場合を例に掲げて説明したが、再生するファイルはＡＶＩファイルに限定されない。
【００３８】
また、この実施形態では、中断したインデックス情報の読み取りをサーチ操作時に再開するようにしているが、ストリームデータ再生の裏処理でインデックス情報の読み取りを実行するようにしてもよい。
【図面の簡単な説明】
【００３９】
【図１】この発明の実施形態である光ディスク再生装置のブロック図
【図２】同光ディスク再生装置で再生されるＡＶＩファイルの構成を示す図
【図３】同光ディスク再生装置の動作を示すフローチャート
【符号の説明】
【００４０】
１…光ディスク
１５…ビデオデコーダ
２０…ディスプレイ装置
２２…システムコントローラ
【図１】
2007102868.tif 000003
【図２】
2007102868.tif 000004
【図３】
2007102868.tif 000005